(57)【要約】【課題】快適性と省エネ性を両立できる誘引吹出口を得る。【解決手段】外部から送り込まれた供給空気を吹出方向変更自在として被空調空間Ｓへ吹出すパンカ本体２を、備える。パンカ本体２の外径側に所定間隔を隔てて外筒体５を設けて、被空調空間と連通する環状の誘引風路１２を形成する。外筒体５の先端側をパンカ本体２よりも先端方向へ突出させて、誘引風路１２と連通しかつ吹出口部１から吹出す供給空気にて被空調空間の空気を誘引風路１２を介して誘引させると共にこの誘引空気と供給空気を混合させて被空調空間へ誘導案内する混合空気吹出風路１３を、形成する。【選択図】図１
2013139962.tif 000002
【特許請求の範囲】
【請求項１】
外部から送り込まれた供給空気を吹出方向変更自在として被空調空間（Ｓ）へ吹出すパンカ本体（２）を、備え、前記パンカ本体（２）の外径側に所定間隔を隔てて外筒体（５）を設けて、基端側から前記被空調空間と連通する環状の誘引風路（１２）を形成し、前記外筒体（５）の先端側を前記パンカ本体（２）のノズル状の吹出口部（１）よりも先端方向へ突出させて、前記誘引風路（１２）と連通しかつ前記吹出口部（１）から吹出す前記供給空気にて前記被空調空間の空気を前記誘引風路（１２）を介して誘引させると共にこの誘引空気と前記供給空気を混合させて前記被空調空間へ誘導案内する混合空気吹出風路（１３）を、形成したことを特徴とする誘引パンカ。
【請求項２】
吹出口部（１）の吹出風速を調整自在な風速調整機構（Ａ）を設けた請求項１記載の誘引パンカ。
【請求項３】
風速調整機構（Ａ）が、吹出口部（１）よりも小径の遮蔽部材（６）と、この遮蔽部材（６）を前記吹出口部（１）の内側に固定して供給空気を噴出する環状の空気噴出路（１５）を形成すると共に外径寸法の異なる遮蔽部材（６）を入替えることで前記空気噴出路（１５）の環状の開口幅（Ｈ）を変更自在とする固定部材（１１）と、を備えた請求項１又は２記載の誘引パンカ。
【発明の詳細な説明】
【技術分野】
【０００１】
本発明は誘引パンカに関するものである。
【背景技術】
【０００２】
球状部の先端部にノズル状の吹出口を設け、この球状部を回転させることで送風空気の吹出方向を変えられるパンカルーバがある。
【０００３】
【特許文献１】特開平８−２００７８５号公報
【発明の開示】
【発明が解決しようとする課題】
【０００４】
また、送風動力削減を目的として、空調機からの供給空気を通常よりも低温、少風量化して室内などの被空調空間に設けた吹出口から給気し、空調を行う低温送風空調システムがある。この空調システムでパンカルーバを用いると、供給空気が低温少風量のために、気流が拡散せずコールドドラフトと結露が発生する問題がある。
【課題を解決するための手段】
【０００５】
本発明は上記課題を解決するため、外部から送り込まれた供給空気を吹出方向変更自在として被空調空間へ吹出すパンカ本体を、備え、前記パンカ本体の外径側に所定間隔を隔てて外筒体を設けて、基端側から前記被空調空間と連通する環状の誘引風路を形成し、前記外筒体の先端側を前記パンカ本体のノズル状の吹出口部よりも先端方向へ突出させて、前記誘引風路と連通しかつ前記吹出口部から吹出す前記供給空気にて前記被空調空間の空気を前記誘引風路を介して誘引させると共にこの誘引空気と前記供給空気を混合させて前記被空調空間へ誘導案内する混合空気吹出風路を、形成したことを最も主要な特徴とする。
【発明の効果】
【０００６】
請求項１の発明によれば、
（１）加熱ヒーターなどのような余計なエネルギーを使わずに、パンカ本体の吹出口部から吹出す供給空気にて被空調空間の空気を誘引混合して再熱（レヒート）できる。したがって、供給空気を低温にすることで給気風量を減らして、送風動力削減による省エネ化と低騒音化を図れる。
（２）誘引混合によるレヒートで、混合空気吹出風路から被空調空間に吹出す空気と、被空調空間空気と、の温度差が少なくなるので、低温の供給空気をそのまま吹出すことで生じるコールドドラフトや被空調空間の温度ムラ、結露などを防止できて、快適性の向上を図れる。
請求項２の発明によれば、
（１）パンカ本体の吹出口部の吹出風速を任意に変更して、被空調空間空気の誘引量を増減調整することで、空調に最適な混合空気吹出温度（誘引空気混合比）を選択でき、空調効率の向上を図れる。
請求項３の発明によれば、
（１）空気噴出路が環状なので、供給空気の風量に対する誘引空気の風量（混合比）を多く確保できる。そのため、混合空気の吹出風量の増加を図れて拡散性が良好となり、被空調空間の温湿度を均一化して快適な空調を行うことができる。
（２）風速調整機構が、外径寸法の異なる遮蔽部材を固定部材に対して入替えるだけの簡単な構造なので、製作が容易でコスト低減を図れる。
【実施例】
【０００７】
図１〜図４は、本発明の誘引パンカの一実施例を示しており、この誘引パンカは、球状部３の先端部にノズル状の吹出口部１を設けて成ると共に外部から送り込まれた供給空気を吹出口部１から被空調空間Ｓへ吹出すパンカ本体２と、球状部３を外側から回転自在に保持して供給空気の吹出方向を変更自在とする外装体４と、を備えている。
【０００８】
このパンカ本体２の外径側に所定間隔を隔てて外筒体５を設けて、基端側から被空調空間と連通する環状の誘引風路１２を形成する。さらに、外筒体５の先端側を吹出口部１よりも先端方向へ突出させて、誘引風路１２と連通しかつ吹出口部１から吹出す供給空気にて被空調空間の空気を誘引風路１２を介して誘引させると共にこの誘引空気と供給空気を混合させて被空調空間へ誘導案内する混合空気吹出風路１３を、形成する。外筒体５は、軸基端側が開口する笠状筒部１４と、その先端部から軸先端方向へ突出する円筒状部１６と、から成る。なお、本発明において環状とはリング状、筒状、フレア状など各種形状を全て含むものとする。
【０００９】
外装体４は、球状部３へ摺動自在に外嵌される外鍔付きの保持リング７と、保持リング７の外径側に所定間隔を隔てて設けられる内鍔付きの筒状のケーシング８と、保持リング７の外鍔部とケーシング８の内鍔部の間に周方向所定ピッチで介装される支持部材９と、で構成される。保持リング７と支持部材９とケーシング８は、図示省略のボルトナットやその他各種固定具等にて互いに固定する。ケーシング８の内鍔部は、空調機やダクトなどの機器１０に取付けられて、機器１０からの供給空気を、パンカ本体２の内部空洞を通じて吹出口部１から吹出す。なお、外装体４の構成は図例に限定されるものでなく変更は自由である。
【００１０】
パンカ本体２には、吹出口部１の吹出風速を調整自在な風速調整機構Ａを設ける。風速調整機構Ａは、吹出口部１よりも小径の遮蔽部材６と、この遮蔽部材６を吹出口部１の内側に固定して供給空気を噴出する環状の空気噴出路１５を形成すると共に外径寸法の異なる遮蔽部材６を入替えることで空気噴出路１５の環状の開口幅Ｈ（吹出口部１の内径と遮蔽部材６の外径との差）を変更自在とする固定部材１１と、を備えている。このように外径寸法の異なる遮蔽部材６を複数設け、空気噴出路１５の開口幅Ｈを増減変更することで空気噴出路１５から混合空気吹出風路１３への吹出風速を調整する。
【００１１】
遮蔽部材６は、空気噴出路１５へ空気を低圧損にて誘導案内すると共にその外径でＨ寸法を変更自在とする円錐状のガイド部１７と、ガイド部１７の先端から突出する環状の嵌合部２０と、から成る。固定部材１１は、遮蔽部材６の嵌合部２０を着脱自在で遮蔽部材６を外筒体５に対して同心円状に固定する環状の取付部１８と、取付部１８と吹出口部１を連結して固定する薄板状の支持部２１と、から成る。外筒体５は、別の薄板状の支持部１９にて吹出口部１に連結して同心円状に固定する。
【００１２】
図１の太い点線の矢印は空気の流れる方向を示しており、外部から送り込まれた供給空気はパンカ本体２の内部を通って、吹出口部１の空気噴出路１５から混合空気吹出風路１３に向かって噴出する。その際、空気噴出路１５と誘引風路１２の連通部が負圧となって、被空調空間の空気を誘引風路１２を介して誘引する。誘引空気は混合空気吹出風路１３に吸込まれて供給空気と混合し、混合空気は混合空気吹出風路１３を通り被空調空間へ吹出す。
【００１３】
この混合空気吹出風量に対する供給空気風量：誘引空気風量の比率を、風速調整機構Ａにて増減変更したり、内径寸法の異なる外筒体５を複数設けこれらを入替えてパンカ本体２との間隔を増減変更することで、混合空気吹出温度を調整する。例えば、冷房時、混合空気吹出風路１３では１３℃近辺の低温の供給空気と、それよりも高温の２７〜３０℃の誘引空気を混合して１９〜２２℃で吹出しするので結露は生じない。なお、供給空気は誘引混合された時点で被空調空間の露点温度より高温で絶対湿度が低くなるように設定するのが好ましいが変更は自由である。
【００１４】
なお、本発明は上述の実施例に限定されず、本発明の要旨を逸脱しない範囲で設計変更自由である。例えば、外筒体５、遮蔽部材６、固定部材１１の形状、構成、構造の変更は自由であり図例に限定されるものではない。さらに、風速調整機構Ａを風量調整自在なダンパやシャッタなど図例以外の構成、構造に変更したり、あるいは、風速調整機構Ａを省略するも自由である。
【図面の簡単な説明】
【００１５】
【図１】本発明の誘引パンカの側面断面図である。
【図２】正面図である。
【図３】誘引パンカの側面図である。
【図４】正面から見た斜視図である。
【符号の説明】
【００１６】
１    吹出口部
２    パンカ本体
５    外筒体
６    遮蔽部材
１１  固定部材
１２  誘引風路
１３  混合空気吹出風路
１５  空気噴出路
Ａ    風速調整機構
Ｈ    開口幅
Ｓ    被空調空間
【図１】
2013139962.tif 000003
【図２】
2013139962.tif 000004
【図３】
2013139962.tif 000005
【図４】
2013139962.tif 000006
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
外部から送り込まれた供給空気を吹出方向変更自在として被空調空間（Ｓ）へ吹出すパンカ本体（２）を、備え、前記パンカ本体（２）の外径側に所定間隔を隔てて外筒体（５）を設けて、基端側から前記被空調空間と連通する環状の誘引風路（１２）を形成し、前記外筒体（５）の先端側を前記パンカ本体（２）のノズル状の吹出口部（１）よりも先端方向へ突出させて、前記誘引風路（１２）と連通しかつ前記吹出口部（１）から吹出す前記供給空気にて前記被空調空間の空気を前記誘引風路（１２）を介して誘引させると共にこの誘引空気と前記供給空気を混合させて前記被空調空間へ誘導案内する混合空気吹出風路（１３）を、形成し、
前記パンカ本体（２）に、前記吹出口部（１）の吹出風速を調整自在な風速調整機構（Ａ）を設け、この風速調整機構（Ａ）が、前記吹出口部（１）よりも小径の遮蔽部材（６）と、この遮蔽部材（６）を前記吹出口部（１）の内側に固定して前記供給空気を噴出する環状の空気噴出路（１５）を形成すると共に外径寸法の異なる前記遮蔽部材（６）を入替えることで前記空気噴出路（１５）の環状の開口幅（Ｈ）である前記吹出口部（１）の内径と前記遮蔽部材（６）の外径との差を変更自在とする固定部材（１１）と、を備え、
前記遮蔽部材（６）は、前記空気噴出路（１５）へ空気を誘導案内すると共にその外径で前記開口幅（Ｈ）寸法を変更自在とする円錐状のガイド部（１７）と、このガイド部（１７）の先端から突出する嵌合部（２０）と、から成り、
前記固定部材（１１）は、前記遮蔽部材（６）の前記嵌合部（２０）を着脱自在で前記遮蔽部材（６）を固定する取付部（１８）と、この取付部（１８）と前記吹出口部（１）を連結して固定する支持部（２１）と、から成ることを特徴とする誘引パンカ。
【手続補正２】
【補正対象書類名】明細書
【補正対象項目名】０００６
【補正方法】変更
【補正の内容】
【０００６】
請求項１の発明によれば、
（１）加熱ヒーターなどのような余計なエネルギーを使わずに、パンカ本体の吹出口部から吹出す供給空気にて被空調空間の空気を誘引混合して再熱（レヒート）できる。したがって、供給空気を低温にすることで給気風量を減らして、送風動力削減による省エネ化と低騒音化を図れる。
（２）誘引混合によるレヒートで、混合空気吹出風路から被空調空間に吹出す空気と、被空調空間空気と、の温度差が少なくなるので、低温の供給空気をそのまま吹出すことで生じるコールドドラフトや被空調空間の温度ムラ、結露などを防止できて、快適性の向上を図れる。
（３）パンカ本体の吹出口部の吹出風速を任意に変更して、被空調空間空気の誘引量を増減調整することで、空調に最適な混合空気吹出温度（誘引空気混合比）を選択でき、空調効率の向上を図れる。
（４）空気噴出路が環状なので、供給空気の風量に対する誘引空気の風量（混合比）を多く確保できる。そのため、混合空気の吹出風量の増加を図れて拡散性が良好となり、被空調空間の温湿度を均一化して快適な空調を行うことができる。
（５）風速調整機構が、外径寸法の異なる遮蔽部材を固定部材に対して入替えるだけの簡単な構造なので、製作が容易でコスト低減を図れる。